(57)【特許請求の範囲】
【請求項１】
アンテナが接続された外部装置と接続される無線通信装置であって、
外部装置を接続する接続部と、
前記接続部を介して前記外部装置と接続され、前記外部装置を介して無線通信を行う無線部と、
電源オフになる前に前記接続部に接続された外部装置の識別情報を保持する記憶部と、
電源オン時に前記接続部に接続された外部装置の識別情報を取得し、前記記憶部に記憶された識別情報と一致するか否かを判断し、一致しない場合は接続回数をカウントアップするとともに、外部装置から取得した識別情報に基づいて前記無線部の単信／複信を設定する制御部と、
を備えていることを特徴とする、無線通信装置。
【請求項２】
請求項１に記載の無線通信装置であって、
操作部と表示部を有し、
前記操作部で接続回数のメニューが選択された場合には前記表示部に前記接続部の接続回数を表示することを特徴とする無線通信装置。
【請求項３】
請求項２に記載の無線通信装置であって、
前記接続回数が予め設定した閾値を超えた場合には前記表示部に前記接続部を交換するメッセージを表示することを特徴とする無線通信装置。
【請求項４】
外部装置と中間装置を介して接続される無線通信装置であって、
電源オフになる前に前記無線通信装置に接続された中間装置が有する識別器の識別情報を保持する記憶部と、
電源オン時に前記無線通信装置が接続された中間装置が有する識別器の識別情報を取得し、前記記憶部に記憶された識別情報と一致するか否かを判断し、一致しない場合は接続回数をカウントアップするカウンタと、
を備えていることを特徴とする、無線通信装置。
【請求項５】
アンテナが接続された外部装置と、外部装置と接続される無線通信装置とを有する無線通信システムであって、
前記無線通信装置は、
外部装置を接続する接続部と、
前記接続部を介して前記外部装置と接続され、前記外部装置を介して無線通信を行う無線部と、
電源オフになる前に前記接続部に接続された外部装置の識別情報を保持する記憶部と、
電源オン時に前記接続部に接続された外部装置の識別情報を取得し、前記記憶部に記憶された識別情報と一致するか否かを判断し、一致しない場合は接続回数をカウントアップするとともに、外部装置から取得した識別情報に基づいて前記無線部の単信／複信を設定する制御部と、
を備えていることを特徴とする、無線通信システム。
【請求項６】
外部装置と、中間装置を介して前記外部装置と接続される無線通信装置とを有する無線通信システムであって、
前記無線通信装置は、
電源オフになる前に前記無線通信装置に接続された中間装置が有する識別器の識別情報を保持する記憶部と、
電源オン時に前記無線通信装置に接続された中間装置が有する識別器の識別情報を取得し、前記記憶部に記憶された識別情報と一致するか否かを判断し、一致しない場合は接続回数をカウントアップするカウンタと、
を備えていることを特徴とする、無線通信システム。
【発明の詳細な説明】
【技術分野】
【０００１】
本発明は、無線通信装置及び無線通信システムに関するものである。
【背景技術】
【０００２】
消防車、救急車等の消防隊や行政等で運用されている業務用の無線通信装置は用途に応じて車載用、卓上用、可搬用等がある。
図９は従来の無線通信システムのブロック図である。
図９の無線通信システムは、無線通信装置９１０と車載用外部装置９２０で構成され、無線通信装置９１０と車載用外部装置９２０が脱着できる構造である。無線通信装置９１０のコネクタ９１１が車載用外部装置９２０のコネクタ９２１と接続する。
無線通信装置９１０は、コネクタ９１１、制御部９１２、無線部１１３、操作部１１４、表示部１１５、メモリ部１１６で構成されている。コネクタ９１１は、無線通信装置９１０の外部インターフェースの端子が集約されている。
車載用外部装置９２０は、コネクタ９２１を介して、共用器１２２、外部スピーカ１２５、ハンドセット１２６、ＡＣＣ（Accessories）１２７、バッテリ１２８等と接続する。共用器１２２はアンテナ１２３，１２４と接続する。なお、ＡＣＣ１２７は、例えば、車両等に搭載されているＧＰＳ（Global  Positioning  System）受信機等である。
【０００３】
無線通信装置で使用しているコネクタには脱着回数の制限があるため、コネクタを保守する必要があり、保守を行う保守員はコネクタの状態を見てコネクタの交換を判断するか、または定期的に交換することとなる。しかし、コネクタの状態で交換を判断するのは困難であり、また無線通信装置を運用する状態によって脱着回数はまちまちであるため、定期的にコネクタを交換すると、ほとんど脱着が行われていないコネクタに対しても交換作業が発生してしまい、不要な費用が発生することになる。または定期交換前に脱着回数が制限を超えてしまいコネクタが破損し、無線通信装置が使用できない等の問題が発生する。
【０００４】
先行技術文献としては、例えば、特許文献１に、電源断時の接続回数を突出部により機構的に接続をカウントする発明が開示されている。
【先行技術文献】
【特許文献】
【０００５】
【特許文献１】特開２０１２−１０００１１号公報
【発明の概要】
【発明が解決しようとする課題】
【０００６】
しかし、先行技術文献の技術では、コネクタとは別に物理的な突出部を設けるとともに受け側も突出部を受けるための構造とカウント機構を設ける必要があり、製造コストが嵩んでしまう。特に無線通信装置などの筐体自体の改造は製造コストへの影響が大きい。
本発明の目的は、筐体の改造等を行わず製造コストの増大を招くことなく無線通信装置がコネクタの脱着回数をカウントする機能を搭載することである。
【課題を解決するための手段】
【０００７】
本発明の無線通信装置は、外部装置と接続される無線通信装置であって、外部装置を接続する接続部と、電源オフになる前に前記接続部に接続された外部装置の識別情報を保持する記憶部と、電源オン時に接続部に接続された外部装置の識別情報を取得し、記憶部に記憶された識別情報と一致するか否かを判断し、一致しない場合は接続回数をカウントアップするカウンタとを備えていることを特徴とする。
【０００８】
本発明の無線通信装置は、外部装置と中間装置を介して接続される無線通信装置であって、電源オフになる前に中間装置が有する識別器の識別情報を保持する記憶部と、電源オン時に中間装置が有する識別器の識別情報を取得し、記憶部に記憶された識別情報と一致するか否かを判断し、一致しない場合は接続回数をカウントアップするカウンタとを備えていることを特徴とする。
【０００９】
また、本発明の無線通信装置は、上述の無線通信装置であって、操作部と表示部を有し、  操作部で接続回数のメニューが選択された場合には表示部に接続部の接続回数を表示することが好ましい。
【００１０】
また、本発明の無線通信装置は、上述の無線通信装置であって、接続回数が予め設定した閾値を超えた場合には表示部に接続部を交換するメッセージを表示することが好ましい。
【００１１】
また、本発明の無線通信システムは、外部装置と、外部装置と接続部を介して接続される無線通信装置とを有する無線通信システムであって、無線通信装置は電源オフになる前に前記接続部に接続された外部装置の識別情報を保持する記憶部と、無線通信装置は電源オン時に接続部に接続された外部装置の識別情報を取得し、記憶部に記憶された識別情報と一致するか否かを判断し、一致しない場合は接続回数をカウントアップするカウンタとを備えていることを特徴とする。
【００１２】
さらに、本発明の無線通信システムは、外部装置と、中間装置を介して外部装置と接続される無線通信装置とを有する無線通信システムであって、無線通信装置は電源オフになる前に中間装置が有する識別器の識別情報を保持する記憶部と、無線通信装置は電源オン時に中間装置が有する識別器の識別情報を取得し、記憶部に記憶された識別情報と一致するか否かを判断し、一致しない場合は接続回数をカウントアップするカウンタとを備えていることを特徴とする。
【発明の効果】
【００１３】
本発明によれば、無線通信装置コネクタの脱着回数をカウントする機能を低コストで実現できる。
【図面の簡単な説明】
【００１４】
【図１】本発明の一実施例に係る無線通信システムのブロック図１である。
【図２】本発明の一実施例に係る無線通信システムのブロック図２である。
【図３】本発明の一実施例に係る無線通信システムのブロック図３である。
【図４】識別器の一例を示す図である。
【図５】識別情報を利用したシステム構成例を示す図である。
【図６】本発明の一実施例に係る無線通信システムの動作を説明するためのフローチャートである。
【図７】本発明の一実施例に係る無線通信システムの動作を説明するためのフローチャートである。
【図８】無線通信装置の脱着回数をカウントアップする条件について説明するための図である。
【図９】従来の無線通信システムのブロック図である。
【図１０】本発明の他の一実施例に係る無線通信システムのブロック図である。
【発明を実施するための形態】
【００１５】
以下、本発明の実施形態について図面を参照して詳細に説明する。
図１は本発明の一実施例に係る無線通信システムのブロック図１である。
図１において、無線通信システムは無線通信装置１１０と車載用外部装置１２０で構成されている。無線通信装置１１０は車載用外部装置１２０と脱着（接続）できる構造である。無線通信装置１１０のコネクタ１１１が車載用外部装置１２０のコネクタ１２１と嵌合する。
【００１６】
無線通信装置１１０は、コネクタ１１１、制御部１１２、無線部１１３、操作部１１４、表示部１１５、メモリ部１１６で構成されている。
制御部１１２は無線通信装置１１０の各部を制御する。無線部１１３は他の無線通信装置との送受信を行う。
コネクタ１１１は、無線通信装置１１０の外部インターフェースの端子が集約されていて、（ａ）が電源インターフェース、（ｂ）がＡＣＣインターフェース、（ｃ）がＲＦ（Radio  Frequency）同軸インターフェース、（ｄ）が外部スピーカインターフェース、（ｅ）が送受話器インターフェース、（ｆ）が識別インターフェースである。
【００１７】
車載用外部装置１２０は、コネクタ１２１を介して、共用器１２２、外部スピーカ１２５、ハンドセット１２６、ＡＣＣ１２７、バッテリ１２８、識別器１２９等を接続する。共用器１２２はアンテナ１２３，１２４と接続する。
識別器１２９は車載用外部装置１２０毎の識別情報を出力するものである。例えば、識別情報を信号情報や接点情報で出力する。なお、識別器１２９が識別情報を接点情報で出力する例では、識別器１２９はディップスイッチで構成され、コネクタ２２１に内蔵されていてもよい。この場合、車載用外部装置１２０毎にスイッチの状態が異なるように予めスイッチが設定される。
【００１８】
図２は本発明の一実施例に係る無線通信システムのブロック図２である。
図２において、無線通信システムは無線通信装置１１０と卓上用外部装置２２０で構成されている。無線通信装置１１０は卓上用外部装置２２０と脱着できる構造である。無線通信装置１１０のコネクタ１１１が卓上用外部装置２２０のコネクタ２２１と接続する。
無線通信装置１１０は図１と同じであるため説明を省略する。
卓上用外部装置２２０は、コネクタ２２１を介して、アンテナ２２３、外部スピーカ１２５、ハンドセット１２６、ＡＣ（交流）／ＤＣ（直流）変換器２３０、識別器１２９等を接続する。ＡＣ／ＤＣ変換器２３０はＡＣ１００Ｖを入力して、例えば、＋１２Ｖを出力する。
【００１９】
図３は本発明の一実施例に係る無線通信システムのブロック図３である。
図３において、無線通信システムは無線通信装置１１０と可搬用外部装置３２０で構成されている。無線通信装置１１０は可搬用外部装置３２０と脱着できる構造である。無線通信装置１１０のコネクタ１１１が可搬用外部装置３２０のコネクタ３２１と接続する。
無線通信装置１１０は図１と同じであるため説明を省略する。
可搬用外部装置３２０は、コネクタ３２１を介して、アンテナ３２３、スピーカマイク３２５、バッテリ３３１、識別器１２９等を接続する。
なお、図２、図３における識別器１２９は図１の識別器１２９と同じものである。
【００２０】
次に、識別器について図４を用いて説明する。図４は識別器の一例を示す図であり、無線通信装置１１０に接続される外部装置が３つだけの場合の例である。
図４において、識別器１２９は、例えば、無線通信装置１１０の接続先である外部装置の機種情報を２ビット（識別符号Ａ，Ｂ）で表し、 “１”が機械的にオープンを示し、“０”が接地を示す。
識別器１２９から出力する識別情報は、例えば、“１１”が車載用であり、“１０”が卓上用であり、“０１”が可搬用であり、“００”がその他である。
なお、識別器１２９は、ＲＯＭ（Read  Only  Memory）等の記憶媒体であってもよく、さらに製造番号等を記憶してもよい。
【００２１】
次に、識別情報を利用したシステム構成例について図５を用いて説明する。図５は識別情報を利用したシステム構成例を示す図である。
無線通信装置１１０の制御部１１２は、入力した識別情報から外部装置に接続された機器の構成を知ることにより、各種設定変更を行うことができる。
例えば、無線通信装置１１０の接続先の外部装置が車載用“１１”である場合は、無線部１１３を共用器１２２使用のための複信に設定し、システム構成としては送受話器がハンドセットであり、電源の種類が自動車のバッテリである。
また、例えば、無線通信装置１１０の接続先の外部装置が卓上用“１０”である場合は、無線部１１３を単信に設定し、システム構成としては送受話器がハンドセットであり、電源の種類がＡＣ／ＤＣ変換器を使用するＡＣ１００Ｖである。
さらに、例えば、無線通信装置１１０の接続先の外部装置が可搬用“０１”である場合は、無線部１１３を単信に設定し、システム構成としては送受話器がスピーカマイクであり、電源の種類がＤＣ１４Ｖである。
【００２２】
このように単信/複信設定は、無線通信装置１１０内部のアナログスイッチを切り替えており、ハンドセット/スピーカマイクも音声のインターフェースは同一だが、それぞれのオーディオのレベルタイヤが異なるので、制御部１１２は無線通信装置１１０内部のソフトを切り替える必要がある。また、外部装置１２０、２２０、３２０はそれぞれ電源の種類や電圧も異なるので、それに対応して無線通信装置１１０の動きを変えても良い。例えば、無線通信装置１１０は、可搬用外部装置３２０と接続された場合は、バッテリを持ち運んで使用する為、制御部１１２が電池残量表示を表示部１１５に示すなどしてもよい。
また、無線通信装置１１０の制御部１１２は、外部装置１２０、２２０、３２０のいずれかに接続され電源を入れた時に、外部装置１２０、２２０、３２０のスピーカや表示部１１５により、現在どの外部装置１２０、２２０、３２０に設置（接続）されているのか、及び／又はハンドセットもしくはスピーカマイクのどちらを使用するのかなど、ユーザに知らせても良い。これによりユーザの利便性が向上する。
【００２３】
次に、無線通信装置１１０の動作について図６を用いて説明する。
図６は本発明の一実施例に係る無線通信システムの動作を説明するためのフローチャートである。
図６において、無線通信装置１１０の制御部１１２は、外部装置１２０、２２０、３２０のいずれかに接続され、ユーザによる電源操作がなされて起動すると、コネクタ１１１のインターフェース（ｆ）を介して、識別器１２９から外部装置の識別情報を読み込んで取得する（Ｓ６０１）。
Ｓ６０２の処理では、メモリ部１１６から前回起動時の状態を読み出す。つまり、無線通信装置１１０は電源オフされてもメモリ部１１６に前回起動時の状態として電源オフ直前に接続されていた外部装置の識別情報を保持している。
【００２４】
Ｓ６０３の処理では、制御部１１２は、今回の状態と前回の状態が異なるかを判定し、前回の状態と異なる場合（ＹＥＳ）にはＳ６０４の処理に進み、前回の状態と同じ場合（ＮＯ）にはＳ６０９の処理に進む。つまり、制御部１１２は、ステップＳ６０１で取得した外部装置の識別情報と、メモリ部１１６に保持された識別情報とを比較し、一致する場合には前回の状態と同じと判定し、一致しない場合は前回の状態と異なると判定する。
【００２５】
Ｓ６０４の処理では、制御部１１２は例えばメモリ部１１６から無線通信装置のコネクタの脱着回数を読み出してＳ６０５の処理に進む。
Ｓ６０５の処理では、制御部１１２はコネクタの脱着回数に１を加算してメモリ部１１６に書き込んでＳ６０６の処理に進む。このように、制御部１１２は電源オン時にコネクタ１１１に接続された外部装置の識別情報を取得し、メモリ１１６に記憶された識別情報と一致するか否かを判断し、一致しない場合は接続回数をカウントアップするカウンタとして機能する。なお、カウント値(脱着回数)を保持するのはメモリ１１６に限られるものではなく、専用のメモリを備えても良いし、制御部１１２が保持しても良い。また、無線装置全体を制御する制御部１１２以外がカウンタとして機能してもよい。
Ｓ６０６の処理では、制御部１１２はメモリ部１１６から今回の無線通信装置状態のコネクタの脱着回数、つまり、メモリ部１１６に保持された外部装置毎の脱着回数のうち、今回ステップＳ６０１で読み出した外部装置のカウント値を読み出してＳ６０７の処理に進む。
【００２６】
Ｓ６０７の処理では、制御部１１２は、今回の状態（外部装置）の脱着回数に１を加算してメモリ部１１６に書き込んでＳ６０８の処理に進む。
このように、メモリ部１１６はコネクタ１１１の脱着回数とともに、外部装置毎の脱着回数を保持している。
【００２７】
Ｓ６０８の処理では、制御部１１２は、今回の状態としてステップＳ６０１で読み出した外部装置の識別情報をメモリ部１１６に上書きで書き込んでＳ６０９の処理に進む。
Ｓ６０９の処理では、無線通信装置１１０の運用を行う。
制御部１１２は、操作部１１４からコネクタ１１１の脱着回数のメニューが選択された場合には表示部１１５にコネクタの脱着回数を表示する（Ｓ６１０）。
なお、表示部１１５に表示するコネクタの脱着回数は、例えば、コネクタ１１１の脱着合計回数とともに、外部装置毎に“車載用外部装置１２０のコネクタ１２１が３０回”、“卓上用外部装置２２０のコネクタ２２１が１０回”、“可搬用外部装置３２０のコネクタ３２１が１０回”等である。
【００２８】
次に、無線通信装置１１０の動作について図７を用いて説明する。
図７は本発明の一実施例に係る無線通信システムの動作を説明するためのフローチャート２である。
図７において、Ｓ６０１からＳ６０８の処理は、図６と同じであるため、説明を省略する。
【００２９】
無線通信装置１１０の制御部１１２は、各状態のコネクタの脱着回数が予め設定してある脱着回数閾値を超えているかを判定し（Ｓ７１１）、脱着回数閾値を超えている場合（ＹＥＳ）にはＳ７１２の処理に進み、脱着回数閾値を超えていない場合（ＮＯ）にはＳ７１３の処理に進む。
なお、脱着回数閾値は、例えば、５００回等である。
【００３０】
Ｓ７１２の処理では、該当するコネクタの交換メッセージを表示部１１５に表示し、Ｓ７１３の処理に進む。
なお、表示部１１５に表示する内容は、例えば、“無線通信装置１１０のコネクタ１１１を交換して下さい。”、“車載用外部装置１２０のコネクタ１２１を交換して下さい。”等である。つまり、コネクタ１１１の脱着合計回数は無線通信装置１１０のコネクタ１１１の交換アラームに用いられ、外部装置毎の脱着回数は、外部装置自体のコネクタの交換アラームに用いられる。
Ｓ７１３の処理では、無線通信装置１１０の運用を行う。
【００３１】
次に、本発明の他の一実施例について図１０を用いて説明する。図１０は本発明の他の一実施例に係る無線通信システムのブロック図である。
図１０の無線通信システムは、無線通信装置１１０と受金具１０２０と車載用外部装置９２０で構成されている。
本発明である無線通信装置１１０は、中間装置として例えば受金具１０２０を介して従来の車載用外部装置９２０と接続することができる。
受金具１０２０は識別器１２９を内蔵しているため、従来の車載用外部装置９２０を改造することなく、本発明が実現可能であり、製造コストの増大をさらに抑止できる。
なお、車載用外部装置９２０は、従来の卓上用や可搬用等の外部装置であってもよい。
【００３２】
なお、消防・救急デジタル無線通信システムでは、システムの上位に管理監視制御卓があり、システム上にある無線通信装置は管理監視制御卓に対して無線通信装置自体の状態や異常等を通知している。これにより管理監視制御卓は、各無線通信装置の状態を管理することができる。
そこで無線通信装置では、装置内部でカウントした各コネクタの接続回数やコネクタ交換通知の情報を管理監視制御卓に通知することで、システム上で運用されている脱着式無線装置のコネクタの状態を管理することができる。管理監視制御卓へのコネクタ情報の通知は、脱着式無線値と基地局との通信時にユーザ情報として通知する。
このように、システムを集中管理している管理監視制御卓にコネクタの接続回数等の情報を通知して、システム上の無線通信装置のコネクタの状態を管理することで、より効率的にコネクタ交換作業が行えるようになる。
【００３３】
本発明の実施形態である無線通信装置及び無線通信システムは、バッテリを搭載していない無線通信装置にもコネクタの脱着回数をカウントする機能を搭載することができる。
【００３４】
以上、本発明の一実施形態について詳細に説明したが、本発明は上述した実施形態に限定されるものではなく、本発明の趣旨を逸脱しない範囲で種々変更して実施することができる。例えば、本発明はバッテリを搭載している無線通信装置にも適用できることは言うまでもない。無線通信装置１１０がバッテリを搭載している場合、無線通信装置１１０は他の外部装置に接続しなくても仕様可能となる。このときの脱着回数のカウントアップ条件を図８に示す。つまり、上述した図６のステップＳ６０３の判定は、無線通信装置１１０の前回電源ＯＦＦ直前の外部装置との接続状態と、今回の電源ＯＮ時の外部装置との接続状態に応じて図８に基づいて行う。例えば、無線通信装置１１０の前回の電源ＯＦＦの外部装置との接続状態が未接続であり、電源ＯＮ後の外部装置との接続状態が未接続の場合は、状態に変化がないと判定する。また、無線通信装置１１０の電源ＯＮ中に外部装置が着脱されれば、制御部１１２はその状態変化を検出して、カウントアップを行う。
【産業上の利用可能性】
【００３５】
無線通信装置は電源ＯＮ前と電源ＯＮ後の外部装置との接続状態によって、コネクタの脱着回数をカウントできるため、コネクタの保守する用途に適用できる。
【符号の説明】
【００３６】
１１０：無線通信装置、１１１：コネクタ、１１２：制御部、１１３：無線部、１１４：操作部、１１５：表示部、１１６：メモリ部、１２０：車載用外部装置、１２１：コネクタ、１２２：共用器、１２３，１２４：アンテナ、１２５：スピーカ、１２６：ハンドセット、１２７：ＡＣＣ、１２８：バッテリ、１２９：識別器、２２０：卓上用外部装置、２２３：アンテナ、２３０：ＡＣ／ＤＣ変換器、３２０：可搬用外部装置、３２１：コネクタ、３２５：スピーカマイク、３３１：バッテリ、９１０：無線通信装置、９１１：コネクタ、９１２：制御部、９２０：車載用外部装置、９２１：コネクタ、１０２０：受金具、１０２１：コネクタ、（ａ）：電源インターフェース、（ｂ）：ＡＣＣインターフェース、（ｃ）：ＲＦ同軸インターフェース、（ｄ）：外部スピーカインターフェース、（ｅ）：送受話器インターフェース、（ｆ）：識別インターフェース。
【図１】
0006685115.tif 000002
【図２】
0006685115.tif 000003
【図３】
0006685115.tif 000004
【図４】
0006685115.tif 000005
【図５】
0006685115.tif 000006
【図６】
0006685115.tif 000007
【図７】
0006685115.tif 000008
【図８】
0006685115.tif 000009
【図９】
0006685115.tif 000010
【図１０】
0006685115.tif 000011